(57)【要約】 【課題】  垂直、或いは水平の何れの取付対象面にも簡単操作で取付けできる使い勝手の良い物品取付具を提供する。【解決手段】  開放側端部が直交するＵ字状の係合溝１５ａ、１５ｂを設けた取付部１２と、掛吊用部材１を支持する取付機構を備えると共に、内周壁に前記係合溝１５ａ、１５ｂの一方が係合するＵ字状の係合突片６を設けた筒状の本体部５とを備えている。前記本体部５の係合突片６に対して前記取付部１２の係合溝１５ａ、１５ｂの何れか一方を係合することにより、前記取付部１２の取付方向を９０度角相違させて設定できる。【選択図】    図１
2005110749.tif 000002
【特許請求の範囲】
【請求項１】
開放側端部が直交するＵ字状の係合溝を設けた取付部と、
掛吊用部材を支持する取付機構を備えると共に、内周壁に前記係合溝の一方が係合するＵ字状の係合突片を設けた筒状の本体部とを備え、
前記本体部の係合突片に対して前記取付部の係合溝の何れか一方を係合することにより、前記取付部の取付方向を９０度角相違させて設定できるように構成したことを特徴とする物品取付具。
【請求項２】
前記係合溝に凸部を設けると共に、前記係合突片に前記係合溝の凸部が係合する凹部を設け、前記本体部に前記取付部を取り付けた際のロック機構を形成したことを特徴とする請求項１に記載の物品取付具。
【請求項３】
さらに、前記取付部は、取付け対象面への止着手段を着脱自在に装着可能なネジ止め機構を備えることを特徴とする請求項１または請求項２の何れかに記載の物品取付具。
【発明の詳細な説明】
【技術分野】
【０００１】
本発明は、布巾掛けやタオル掛け等の掛吊用部材を垂直および水平の２方向の取付対象面を任意に選択して止着できる物品取付具に関するものである。
【背景技術】
【０００２】
物品取付具として、複数の掛け竿（掛吊用部材）の基部を回動自在に軸支した本体部を台所等の垂直壁面に止着して使用する掛吊具が従来公知であるが、このような壁付けタイプは、吊り戸棚の底板下面等への止着は不可であり、使用者は台所の狭い空間を有効活用できずに不便な思いをしていた。
【０００３】
このような不便さを解消するものとして、取付部の取付方向を、垂直（壁付け）と水平（天吊り）の２通りに任意に設定できる吊掛具が提案されている（例えば、特許文献１、特許文献２）。
【特許文献１】実開平２−２０９８１号公報
【特許文献２】実開平２−１０９５４５号公報
【発明の開示】
【発明が解決しようとする課題】
【０００４】
しかしながら、このような、壁付け／天吊り両用タイプは、掛吊用部材を支持する本体部と取付対象面に止着される取付部とが、それぞれ別体で構成されるものが一般的であるから、家庭用品として、構造的に複雑にならず、且つ、取付対象面への止着や取付方向の転換が容易に行えることが重要である。
【０００５】
本発明は、このような要望に鑑み成されたもので、垂直、或いは水平の何れの取付対象面にも簡単操作で取付けできる使い勝手の良い物品取付具を提供することを目的としている。
【課題を解決するための手段】
【０００６】
すなわち、請求項１に記載の本発明は、開放側端部が直交するＵ字状の係合溝を設けた取付部と、掛吊用部材を支持する取付機構を備えると共に、内周壁に前記係合溝の一方が係合するＵ字状の係合突片を設けた筒状の本体部とを備え、前記本体部の係合突片に対して前記取付部の係合溝の何れか一方を係合することにより、前記取付部の取付方向を９０度角相違させて設定できるように構成したことを特徴としている。
本構成では、取付部の取付方向の転換は容易であり、取付場所の状態に応じて壁付けと天吊りの２通りを任意に選択して使用することで、台所等の狭い空間を効率良く活用することができる。また、係合溝と係合突片をＵ字状に形成することにより、本体部と取付部の係合範囲を広くして両者の結合強度を向上でき、本体部と取付部の双方をガタ付きなく確実に結合することができる。
【０００７】
また、請求項２に記載の本発明は、請求項１に記載の物品取付具において、前記係合溝に凸部を設けると共に、前記係合突片に前記係合溝の凸部が係合する凹部を設け、前記本体部に前記取付部を取り付けた際のロック機構を形成したことを特徴としている。
本構成では、係合突片が係合溝に係合すると同時に、凹部と凸部が係合して両者の結合強度が向上する。
【０００８】
また、請求項３に記載の本発明は、請求項１または請求項２の何れかに記載の物品取付具において、さらに、前記取付部は、取付対象面への止着手段を着脱自在に装着可能なネジ止め機構を備えることを特徴としている。
【０００９】
止着手段として、吸盤、或いは、補助板等に固着した粘着テープ、吸着シート、マグネット等を取付部に螺着・固定する構造とし、取付対象面に応じた好適な止着手段にて止着できるようにしている。
【発明の効果】
【００１０】
以上説明したように、本発明によれば、取付部の何れか一方の係合溝を本体部の係合突片に係合することにより、取付部の取付方向を９０度角相違させて設定できるように構成したので、取付部の取付方向の転換は容易であり、且つ、取付場所の状態に応じて壁付けと天吊りの２通りを任意に選択して使用することで、台所内の狭い空間を効率良く活用することができる。
また、係合溝と係合突片をＵ字状に形成することにより、本体部と取付部の係合範囲を広くして両者の結合強度を向上でき、本体部と取付部をガタ付きなく確実に結合できる。
【００１１】
また、係合溝に凸部を設けると共に、係合突片にこの凸部が係合する凹部を設けたので、係合突片が係合溝に係合すると、凹部と凸部が係合して両者の結合強度がより一層向上し、本体部と取付部をガタ付きなく確実に結合できる。
【発明を実施するための最良の形態】
【００１２】
以下、図１〜図５に基づいて本発明に係る物品取付具の実施形態を説明する。  図１は本発明に係る物品取付具の分解斜視図、図２および図３は同、物品取付具の取付け態様を示す側面図、図４は同、物品取付具の本体部の構造を示す図、図５は同、物品取付具の取付部の構造を示す図である。
【００１３】
図１〜図３に示すように、本実施形態の物品取付具は、掛吊用部材として布巾掛け１を支持する合成樹脂製の本体部５と、当本体部５を垂直壁や棚板等の取付対象面に止着するための合成樹脂製の取付部１２とで構成される。    
【００１４】
布巾掛け１は、中心孔２を有する合成樹脂製の胴部３に布巾類を吊着するための金属製アーム４を突設したものであって、この布巾掛け１が縦方向に３個並べた状態で本体部５の底部に回動自在に支持されている。尚、この布巾掛け１を支持するための取付機構は、本体部５の支軸８と、当支軸８が挿嵌可能な軸筒１０を有する合成樹脂製のキャップ９によって構成されており、各布巾掛け１の胴部３が中心孔２を挿通するキャップ９の軸筒１０によって回動自在に軸支されると共に、この軸筒１０内に本体部５の支軸８が挿嵌された状態において、その先端部がネジ１１によりキャップ９に固定されている。
【００１５】
本体部５は、図４に示すように、それぞれ上面と前面を開口した横断面Ｕ字状の中空筒状体であって、筒状体の底部には、先端にキャップ９を固定するネジ１１止め用の穴８ａを設けた支軸８を垂設すると共に、Ｕ字状を成す内周壁の上部開口縁部に沿って、断面角形の係合突片６が形成されており、且つ、この係合突片６の開放両端付近に凹部７、７が形成されている。
【００１６】
取付部１２は、図５に示すように、前面に位置する円錐状の取付板１３と、裏面にあって、それぞれ先端を本体部５と同じＵ字状に形成した水平支持片１４ａと垂直支持片１４ｂが直角に交わるＬ字状の支持板１４により構成されている。
【００１７】
この支持板１４の周側部、即ち、水平支持片１４ａと垂直支持片１４ｂのそれぞれの周側部に、本体部５の係合突片６が係合可能な係合溝１５ａおよび係合溝１５ｂが形成され、且つ、こえら係合溝１５ａと係合溝１５ｂの開放側端部が直交する近傍付近のぞれぞれに、上記した係合突片６の凹部７に係合可能な凸部１６ａ、１６ｂが形成されている。そして、係合突片６の凹部７と係合溝１５ａの凸部１６ａにより、また、係合突片６の凹部７と係合溝１５ｂの凸部１６ｂにより、係合時のロック機構が構成されている。
【００１８】
一方、図１〜図３に示すように、取付板１３の前面には、物品取付具を取付対象面に止着するための粘着テープ１４が貼着された補助板１７が取り付けてある。この補助板１７は、取付板１３の前面開口部とほぼ同じ径を有する合成樹脂製の円板であって、裏面の中央にネジ切りした軸芯１８を突設し、支持板１４の通孔１９を通してこの軸芯１８の先端部分を取付ネジ２０にて締め付けることにより、補助板１７を取付板１３の開口部に着脱自在に取付けできるようになっている。
尚、図１には、この取付部１２について、水平方向と垂直方向の２通りの組み立て方が記載されているが、取付部１２の取付方向（壁付け／天吊り）により、以下に示す何れか一方の組み立て方が採られる。
【００１９】
図２は、物品取付具を垂直壁面等に止着する場合（壁付け）を示している。取付部１２の組み立ては、図１に示す水平方向の組み立て方となり、支持板１４（水平支持片１４ａ）の係合溝１５ａを本体部５の前面開口部より係合突片６に嵌入すれば良い。
係合溝１５ａと係合突片６による係合機構をＵ字状に形成することにより、本体部５と取付部１２の係合範囲を広くでき、両者の結合強度を向上できると共に、係合溝１５ａを係合突片６に嵌入することにより、係合溝１５ａの凸部１６ａと係合突片６の凹部７が相係合してロック状態となるため、本体部５と取付部１２とでガタ付きのない確実な結合が得られることになり、その結果、使用中に本体部５が取付部１２より脱落するといった不安定な状態をなくすことができる。
【００２０】
図３は、物品取付具を吊り戸棚等の底板下面等、水平面に止着する場合（天吊り）を示し、取付部１２の組み立て方は、図１に示す一点鎖線で囲んだ垂直方向の組み立て方となる。この場合では、支持板１４（垂直支持片１４ｂ）の係合溝１５ｂを本体部５の前面開口部より係合突片６に嵌入すれば良い。
【００２１】
この時、係合溝１５ｂの凸部１６ｂと係合突片６の凹部７が係合してロック状態となり、本体部５と取付部１２とでガタ付きのない確実な結合が得られる。この状態でアーム４は３６０°回動可能であり、アーム４を使い易い手前側に回して使用し、使用しない時はアーム４を後側に回しておくと邪魔にならない。
【００２２】
以上、説明したように、取付部１２の取付方向の転換操作は容易であり、取付場所に応じて壁付けと天吊りの２通りを任意に選択して使用することで、台所内の狭い空間を効率良く活用することができる。
【００２３】
また、本実施形態では、取付け対象面への止着手段として補助板１７に貼着した粘着テープ２１を使用したが、その他、吸盤シートやマグネット等（図示せず）を用いることも可能である。また、補助板１７を使用せずに、取付板１３の円錐形状を利用して吸盤（図示せず）を直接取付板１３に取付けることも可能である。吸盤は軸芯をねじ切りすることにより補助板１７と同様に取付ネジ２０を用いて直接取付板３に固定することができる。
【００２４】
以上、本実施形態では、掛吊用部材として布巾掛け１を示したが、これに限定されず、タオル掛けやフック等様々なものに適用できる。但し、これら掛吊用部材は、上記した布巾掛け１と同様に、キャップ９の軸筒１０に遊嵌する共通の中心孔２を有する胴部３を備えている必要がある。
【図面の簡単な説明】
【００２５】
【図１】本発明に係る物品取付具の分解斜視図。
【図２】同、物品取付具の垂直面への取付け態様を示す側面図。
【図３】同、物品取付具の水平面への取付け態様を示す側面図。
【図４】同、物品取付具の本体部の構造を示し、（ａ）は平面図、（ｂ）は側断面図。
【図５】同、物品取付具の取付部の構造を示し、（ａ）は側面図、（ｂ）はＡ−Ａ断面図、（ｃ）はＢ−Ｂ断面図。
【符号の説明】
【００２６】
１  掛吊用部材（布巾掛け）
５  本体部
６  係合突片
７  凹部
１２  取付部
１５ａ、１５ｂ  係合溝
１６ａ、１６ｂ  凸部
２１  止着手段（粘着テープ）
【図１】
2005110749.tif 000003
【図２】
2005110749.tif 000004
【図３】
2005110749.tif 000005
【図４】
2005110749.tif 000006
【図５】
2005110749.tif 000007